(57)【要約】【課題】作業者端末を携帯している作業者が必要に応じて装置との位置関係を把握できるようにして、装置への対処作業の効率化を図ることができる管理システムを提供する。【解決手段】管理システムは、複数の生産装置１を管理する。管理システムは、管理サーバ４と、作業者が携帯する作業者端末５とを含む。各生産装置１には、その稼働状態を表す稼働状態情報を出力する情報出力ユニット２が備えられている。情報出力ユニット２が出力する稼働状態情報は、管理サーバ４に登録される。稼働状態情報が管理サーバ４に登録されているときに、当該稼働状態情報に対応する前記装置の位置を表す装置位置情報が、管理サーバ４から作業者端末５に提供される。作業者端末５は、装置位置情報によって表される装置位置、および当該作業者端末５の位置を、地図上に表示する表示部５３を有している。【選択図】図１
2014164598.tif 000002
【特許請求の範囲】
【請求項１】
複数の装置にそれぞれ備えられ、対応する装置の稼働状態を表す稼働状態情報を出力する複数の情報出力ユニットと、
前記複数の情報出力ユニットが出力する稼働状態情報を登録する登録手段と、
作業者が携帯する作業者端末と、
稼働状態情報が前記登録手段に登録されているときに、当該稼働状態情報に対応する前記装置の位置を表す装置位置情報を前記作業者端末に提供する装置位置情報提供手段と、
前記作業者端末の位置を表す端末位置情報を演算する端末位置演算手段と、
前記作業者端末に備えられ、前記装置位置情報提供手段から提供された装置位置情報によって表される装置位置、および前記端末位置演算手段によって演算された端末位置情報によって表される作業者端末位置を地図上に表示する表示手段と
を含む、管理システム。
【請求項２】
前記登録手段に登録された稼働状態情報を前記作業者端末に提供する登録情報提供手段をさらに含む、請求項１に記載の管理システム。
【請求項３】
予め定める稼働状態情報が前記登録手段に登録されたときに、前記作業者端末に通知する通知手段をさらに含む、請求項１または２に記載の管理システム。
【請求項４】
前記通知手段が、前記携帯端末機に通知をプッシュ送信する、請求項３に記載の管理システム。
【請求項５】
前記通知が、前記予め定める稼働状態情報、および当該稼働状態情報を出力した情報出力ユニットに対応する装置の識別情報を含む、請求項４に記載の管理システム。
【請求項６】
前記通知が、前記予め定める稼働状態情報に対応する処置方法の情報を含む、請求項３〜５のいずれか一項に記載の管理システム。
【請求項７】
複数の装置にそれぞれ備えられ、対応する装置の稼働状態を表す稼働状態情報を出力する複数の情報出力ユニットと、作業者が携帯する作業者端末との間で、ネットワークを介して情報通信する管理サーバであって、
前記複数の情報出力ユニットが出力する稼働状態情報を登録する登録手段と、
稼働状態情報が前記登録手段に登録されているときに、当該稼働状態情報に対応する前記装置の位置を表す装置位置情報を前記作業者端末に提供する装置位置情報提供手段と、
前記作業者端末に、前記装置位置情報によって表される装置位置と、前記作業者端末の位置とを表示するための地図データを提供する地図データ提供手段と
を含む、管理サーバ。
【請求項８】
前記登録手段に登録された稼働状態情報を前記作業者端末に提供する登録情報提供手段をさらに含む、請求項７に記載の管理サーバ。
【請求項９】
予め定める稼働状態情報が前記登録手段に登録されたときに、前記作業者端末に通知する通知手段をさらに含む、請求項７または８に記載の管理サーバ。
【請求項１０】
前記通知手段が、前記携帯端末機に通知をプッシュ送信する、請求項９に記載の管理サーバ。
【請求項１１】
前記通知が、前記予め定める稼働状態情報、および当該稼働状態情報を出力した情報出力ユニットに対応する装置の識別情報を含む、請求項９または１０に記載の管理サーバ。
【請求項１２】
前記通知が、前記予め定める稼働状態情報に対応する処置方法の情報を含む、請求項９〜１１のいずれか一項に記載の管理サーバ。
【請求項１３】
複数の装置にそれぞれ備えられ、対応する装置の稼働状態を表す稼働状態情報を出力する複数の情報出力ユニットと、前記複数の情報出力ユニットが出力する稼働状態情報を登録する管理サーバとの間で、ネットワークを介して情報通信し、作業者が携帯する作業者端末であって、
前記管理サーバから、稼働状態情報を出力した情報出力ユニットに対応する装置の位置を表す装置位置情報を受信する装置位置情報受信手段と、
前記装置位置情報受信手段が受信した装置位置情報によって表される装置位置と、当該作業者端末の位置とを地図上に表示する表示手段と
を含む、作業者端末。
【請求項１４】
前記管理サーバから前記登録された稼働状態情報を受信する登録情報受信手段をさらに含み、
前記表示手段が前記登録情報受信手段によって受信された稼働状態情報を表示する、請求項１３に記載の作業者端末。
【請求項１５】
予め定める稼働状態情報が前記管理サーバに登録されたことを表す前記管理サーバからの通知を受信する通知受信手段をさらに含み
前記表示手段が前記通知手段によって受信された通知の内容を表示する、請求項１３または１４に記載の作業者端末。
【請求項１６】
前記通知が、前記予め定める稼働状態情報、および当該稼働状態情報を出力した情報出力ユニットに対応する装置の識別情報を含む、請求項１５に記載の作業者端末。
【請求項１７】
前記通知が、前記予め定める稼働状態情報に対応する処置方法の情報を含む、請求項１５または１６に記載の作業者端末。
【請求項１８】
コンピュータに実行させることによって、当該コンピュータを請求項７〜１２のいずれか一項に記載の管理サーバとして機能させるためのコンピュータプログラム。
【請求項１９】
コンピュータに実行させることによって、当該コンピュータを請求項１３〜１７のいずれか一項に記載の作業者端末として機能させるためのコンピュータプログラム。
【発明の詳細な説明】
【技術分野】
【０００１】
この発明は、複数の装置に備えられた情報出力ユニットが出力する情報を管理するための管理システムに関する。また、この発明は、管理システムを構成するための管理サーバおよび作業者端末に関する。さらに、この発明は、管理システムおよび作業者端末をコンピュータによってそれぞれ構成するためにコンピュータによって実行されるプログラムに関する。
【０００２】
前記複数の装置の例は、工作機械や半導体製造装置に代表される生産装置である。前記情報出力ユニットの例は、電気信号、電波信号、光信号等の信号を出力する信号出力ユニットを含む。信号出力ユニットの例は、信号灯、有線通信ユニット、無線通信ユニットを含む。作業者端末は、作業者によって携帯される電子情報機器である。
【背景技術】
【０００３】
特許文献１は、複数の生産装置にそれぞれ接続された複数のシーケンサから、ネットワークを介して、生産装置の稼働に関する情報を収集するデータ収集システムを開示している。シーケンサは、警告灯、ブザー等の出力装置を制御する接点情報を出力する。その接点情報が、生産装置の稼働に関する情報として、収集される。収集された情報は、統計処理され、作業者の配置、異常からの復旧作業手順、製造ラインの再構成などの検討のために活用される。
【０００４】
特許文献２は、半導体製造プロセスを実行する複数の装置の動作状況が伝達される生産管理システムのデータベースを検索する携帯端末サーバと、この携帯端末サーバと通信する携帯端末とを備えた異常管理システムが開示している。生産管理システムのデータベースには、装置の故障の有無に関する情報が格納される。携帯端末サーバは、そのデータベースに登録された異常フラグがオンになると、携帯端末に向けて、異常が発生した装置が存在することを通知するメールを送信する。作業者は、携帯端末のブラウザを起動して、携帯端末サーバに備えられたウェブサーバにアクセスし、現在の装置状態表示画面を呼び出す。その装置状態表示画面には、異常が発生している装置名称と、その装置の異常に対する対処状態（対処中／未対処）と、対処予定者名とが表示される。これに基づいて、作業者は、必要に応じて、異常が生じた装置へと移動し、必要な復旧作業を実行する。
【先行技術文献】
【特許文献】
【０００５】
【特許文献１】特開２００７−１４１２０８号公報
【特許文献２】特開２００３−１９５９４０号公報
【発明の概要】
【発明が解決しようとする課題】
【０００６】
特許文献１の先行技術では、生産装置の稼働に関する情報が収集されるものの、装置に異常が生じたときに、それを作業者に通知するための手段は、警告灯、ブザー等の出力装置である。したがって、その出力装置の周辺にいる作業者への通知が可能であるに過ぎないので、手空きの作業者に効率的に作業を分配することができない。そのため、復旧までの時間が長くなり、効率的な復旧作業を行えない。
【０００７】
この課題は、特許文献２の先行技術によって改善できる。しかし、作業者は、携帯端末機を操作して得られる「装置名称」に基づいて、異常が発生した装置を特定しなければならない。そのため、「装置名称」によって特定される装置の位置を予め知っている必要がある。
ところが、大規模な工場内で「装置名称」から装置の位置を特定することは容易ではない。むろん、勤務歴の浅い作業者にとっては、工場の規模が小さくても、「装置名称」から装置の位置を正確に特定するのは困難である。しかも、生産ラインの組み換え等によって、工場内での各装置の位置は変動し得るから、勤務歴が長い作業者であっても、各装置の位置を必ずしも正確に把握することはできない。さらにまた、とりわけ大規模な工場内では、作業者が自分自身の位置を正確に把握することが困難な場合もある。したがって、修復対象の装置および作業者の相対位置関係の把握は必ずしも容易ではなく、修復対象の装置に近い作業者を急行させて早期の修復を図ることができない場合がある。
【０００８】
そこで、この発明の目的は、作業者端末を携帯している作業者が、必要に応じて装置との位置関係を確実に把握でき、それによって、装置への対処作業の効率化を図ることができる管理システムを提供することである。
また、この発明の他の目的は、そのような管理システムを構成する管理サーバおよび作業者端末を提供することである。
【０００９】
この発明のさらに他の目的は、コンピュータを管理サーバとして機能させるためのコンピュータプログラムを提供することである。
また、この発明の他の目的は、コンピュータを作業者端末として機能させるためのコンピュータプログラムを提供することである。
【課題を解決するための手段】
【００１０】
この発明は、複数の装置にそれぞれ備えられ、対応する装置の稼働状態を表す稼働状態情報を出力する複数の情報出力ユニットと、前記複数の情報出力ユニットが出力する稼働状態情報を登録する登録手段と、作業者が携帯する作業者端末と、稼働状態情報が前記登録手段に登録されているときに、当該稼働状態情報に対応する前記装置の位置を表す装置位置情報を前記作業者端末に提供する装置位置情報提供手段と、前記作業者端末の位置を表す端末位置情報を演算する端末位置演算手段と、前記作業者端末に備えられ、前記装置位置情報提供手段から提供された装置位置情報によって表される装置位置、および前記端末位置演算手段によって演算された端末位置情報によって表される作業者端末位置を地図上に表示する表示手段とを含む、管理システムを提供する。
【００１１】
この構成によれば、複数の情報出力ユニットが出力する稼働状態情報が登録手段に登録される。稼働状態情報（たとえば、装置の故障などを表す情報）が登録手段に登録されると、その稼働状態情報に対応する装置の位置情報（装置位置情報）が作業者端末に提供される。一方、作業者端末の位置が端末位置演算手段によって演算される。そして、装置位置および作業者端末位置が、作業者端末に備えられた表示手段において、地図上に表示される。これによって、作業者は、その装置と自身との位置関係を容易に把握することができるから、必要に応じて、当該装置へと迅速に移動することができる。これにより、当該装置に対して必要な措置を迅速に講じることができる。
【００１２】
この発明の一実施形態では、前記管理システムは、前記登録手段に登録された稼働状態情報を前記作業者端末に提供する登録情報提供手段をさらに含む。この構成により、作業者は、作業者端末を介して、装置の稼働状態情報を取得することができる。したがって、当該装置まで移動しなくても、装置の稼働状態を知ることができるので、作業効率を向上することができる。
【００１３】
特許文献１および特許文献２の先行技術では、装置に生じている異常の内容を作業者が知るためには、異常が生じている装置まで移動して確認しなければならない。したがって、異常発生を知った作業者は、その異常が生じた装置まで移動して異常内容を確認し、対処のために必要な部品、道具等を取りに行き、さらにその装置まで戻った後に、実際の修復作業を実行する。このように、事前に異常内容を知ることができないために、作業者の移動距離および移動時間が長く、それに応じて装置の復旧までの時間が長くなる。これにより、生産性が悪くなる。前述の構成によって、この問題を解決できる。
【００１４】
この発明の一実施形態では、前記管理システムは、予め定める稼働状態情報が前記登録手段に登録されたときに、前記作業者端末に通知する通知手段をさらに含む。この構成により、予め定める稼働状態情報が登録されると、作業者端末にそのことが通知される。それによって、作業者に対して、迅速な通知を行うことができる。とくに、前記通知手段が、前記携帯端末機に通知をプッシュ送信する構成としておくことによって、装置が予め定める稼働状態となると、そのことを作業者に対してリアルタイムで通知できる。それによって、装置に対して必要な措置を一層迅速に講じることができる。
【００１５】
前記通知が、前記予め定める稼働状態情報、および当該稼働状態情報を出力した情報出力ユニットに対応する装置の識別情報を含むことが好ましい。これにより、作業者は、作業者端末に届く通知によって、予め定める稼働状態となった装置とその稼働状態とを知ることができる。
たとえば、前記通知が、前記予め定める稼働状態情報に対応する処置方法の情報を含んでいてもよい。これにより、作業者は、必要な部品や道具等を調達したうえで当該装置に向かうことができる。これにより、作業効率を一層向上することができる。とくに、作業者端末に対して前述の通知をプッシュ送信する構成としておけば、装置が所定の稼働状態となると、作業者に対して、直ちにそのことを通知できる。それによって、装置に必要な措置を講じるまでの時間を一層短縮できる。それによって、装置が生産装置である場合には、生産性の向上を図ることができる。
【００１６】
この発明は、また、複数の装置にそれぞれ備えられ、対応する装置の稼働状態を表す稼働状態情報を出力する複数の情報出力ユニットと、作業者が携帯する作業者端末との間で、ネットワークを介して情報通信する管理サーバであって、前記複数の情報出力ユニットが出力する稼働状態情報を登録する登録手段と、稼働状態情報が前記登録手段に登録されているときに、当該稼働状態情報に対応する前記装置の位置を表す装置位置情報を前記作業者端末に提供する装置位置情報提供手段と、前記作業者端末に、前記装置位置情報によって表される装置位置と、前記作業者端末の位置とを表示するための地図データを提供する地図データ提供手段とを含む、管理サーバを提供する。
【００１７】
前記管理サーバは、前記登録手段に登録された稼働状態情報を前記作業者端末に提供する登録情報提供手段をさらに含んでいてもよい。
前記管理サーバは、予め定める稼働状態情報が前記登録手段に登録されたときに、前記作業者端末に通知する通知手段をさらに含んでいてもよい。前記通知手段は、前記携帯端末機に通知をプッシュ送信することが好ましい。また、前記通知が、前記予め定める稼働状態情報、および当該稼働状態情報を出力した情報出力ユニットに対応する装置の識別情報を含むことが好ましい。また、前記通知が、前記予め定める稼働状態情報に対応する処置方法の情報を含むことが好ましい。
【００１８】
この発明は、さらに、複数の装置にそれぞれ備えられ、対応する装置の稼働状態を表す稼働状態情報を出力する複数の情報出力ユニットと、前記複数の情報出力ユニットが出力する稼働状態情報を登録する管理サーバとの間で、ネットワークを介して情報通信し、作業者が携帯する作業者端末であって、前記管理サーバから、稼働状態情報を出力した情報出力ユニットに対応する装置の位置を表す装置位置情報を受信する装置位置情報受信手段と、前記装置位置情報受信手段が受信した装置位置情報によって表される装置位置と、当該作業者端末の位置とを地図上に表示する表示手段とを含む、作業者端末を提供する。
【００１９】
前記作業者端末は、前記管理サーバから前記登録された稼働状態情報を受信する登録情報受信手段をさらに含むことが好ましく、この場合に、前記表示手段が前記登録情報受信手段によって受信された稼働状態情報を表示することが好ましい。
また、前記作業者端末は、予め定める稼働状態情報が前記管理サーバに登録されたことを表す前記管理サーバからの通知を受信する通知受信手段をさらに含むことが好ましい。この場合に、前記表示手段が前記通知手段によって受信された通知の内容を表示することが好ましい。前記通知は、前記予め定める稼働状態情報、および当該稼働状態情報を出力した情報出力ユニットに対応する装置の識別情報を含むことが好ましい。また、前記通知が、前記予め定める稼働状態情報に対応する処置方法の情報を含むことが好ましい。
【００２０】
この発明は、さらに、コンピュータに実行させることによって、当該コンピュータを前述の管理サーバとして機能させるためのコンピュータプログラムを提供する。
この発明は、また、コンピュータに実行させることによって、当該コンピュータを前述の作業者端末として機能させるためのコンピュータプログラムを提供する。
【図面の簡単な説明】
【００２１】
【図１】図１は、この発明の一実施形態に係る管理システムの構成を説明するためのブロック図である。
【図２】図２は、管理サーバの機能的な構成を説明するためのブロック図である。
【図３】図３は、前記管理サーバに備えられた動的データベースおよび静的データベースの保持内容を示す。
【図４】図４は、前記静的データベースに格納されたテーブルの例を示す。
【図５】図５は、作業者端末の機能的な構成を説明するためのブロック図である。
【図６】図６は、生産装置からの信号データを受信したときの管理サーバの動作を説明するためのフローチャートである。
【図７】図７は、管理サーバが作業者端末から端末位置情報を受信したときの動作を説明するためのフローチャートである。
【図８】図８は、作業者端末から情報参照要求を受けたときの管理サーバの動作を説明するためのフローチャートである。
【図９】図９は、作業者端末における端末座標位置の算出および端末位置情報の送信に関する動作を説明するためのフローチャートである。
【図１０】図１０は、管理サーバからの情報受信に関する作業者端末の動作を説明するためのフローチャートである。
【図１１】図１１は、作業者端末における受信メッセージの表示例を示す。
【図１２】図１２は、作業者端末における工場内地図の表示例を示す。
【図１３】図１３は、この発明の他の実施形態に係る管理システムを説明するための図であり、作業者端末から位置情報算出のための情報を送信する動作を説明するためのフローチャートである。
【図１４】図１４は、作業者端末の位置特定のための情報を受信したときの管理サーバの動作を説明するためのフローチャートである。
【発明を実施するための形態】
【００２２】
以下では、この発明の実施の形態を、添付図面を参照して詳細に説明する。
図１は、この発明の一実施形態に係る管理システムの構成を説明するためのブロック図である。この管理システムは、複数の生産装置１を管理するためのシステムである。管理システムは、各生産装置１に付設された情報出力ユニット２と、ネットワーク３に接続された管理サーバ４と、作業者が携帯する作業者端末５とを含む。
【００２３】
情報出力ユニット２は、この実施形態では、信号灯（信号表示灯）６と、信号灯６に付設された無線通信ユニット７とを含む。信号灯６は、この実施形態では、複数の発光ユニット８を積み重ねて柱状に構成されており、その頭部に無線通信ユニット７が固定されている。複数の発光ユニット８は、異なる色の光を周囲に放光する。具体的には、信号灯６は、赤色、黄色、緑色、青色、白色の光をそれぞれ周囲に放光する５段の発光ユニット８を備えていてもよい。信号灯６の周囲の作業者は、発光色に基づいて、生産装置１の稼働状態を知ることができる。たとえば、赤色の発光ユニット８が点灯すれば、生産装置１に異常が発生したことが分かる。信号灯６には生産装置１からオン／オフ信号が与えられ、そのオン／オフ信号によって、各発光ユニット８の点灯／消灯が制御される。この発光ユニット８のための制御信号を表す信号データが、無線通信ユニット７から電波信号として放射される。この信号データは、生産装置１の故障、品種切替、品質確認、計画停止、試作中などの稼働状態を表す。生産装置１の稼働状態を表す情報を「稼働状態情報」という。情報出力ユニット２は、さらに、警報音を発生する警報音ユニットを備えていてもよい。
【００２４】
無線通信ユニット７から電波信号として放射された信号データは、受信機１１によって受信される。受信機１１は、ネットワーク３に接続されている。したがって、無線通信ユニット７が出力した信号データは、受信機１１を介してネットワーク３に接続されている機器へと送信される。
管理サーバ４は、典型的にはコンピュータによって構成されている。すなわち、コンピュータが管理サーバプログラム４５を実行することによって、管理サーバ４として機能している。管理サーバ４は、処理装置（ＣＰＵ）４１と、メモリ４２と、外部記憶装置４３（ハードディスクドライブ等）と、通信インタフェース（ＩＦ）４４とを備えている。外部記憶装置４３には、管理サーバプログラム４５（コンピュータプログラム）が格納されている。
【００２５】
作業者端末５は、作業者が携帯することができる大きさのケースに、処理装置（ＣＰＵ）５１、メモリ５２、表示部５３、入力部５４、通信インタフェース５５等を収容して構成された電子情報機器である。メモリ５２には、端末プログラム５６（コンピュータプログラム）が格納されている。処理装置５１は、端末プログラム５６を実行し、それによって、管理サーバ４との間で情報を授受する。すなわち、作業者端末５もまた一種のコンピュータであって、端末プログラム５６を実行することによって、作業者端末５としての機能を実現している。
【００２６】
表示部５３は、液晶パネル、ＥＬ（エレクトロルミネッセンス）パネル等からなる表示画面を有する表示手段である。入力部５４は、典型的には表示部５３の表示画面に配置されたタッチパネルを含む。すなわち、処理装置５１の働きによって表示部５３に操作ボタンが表示され、その操作ボタンに対してタッチパネルを介して入力操作を行う構成によって、入力部５４が構成されていてもよい。むろん、作業者端末５のケースに備えられた機械接点式の操作ボタン等が入力部５４の一部を構成していてもよい。通信インタフェース５５は、ネットワーク３に接続されたアクセスポイント１２との間で無線通信を行う。それによって、作業者端末５は、ネットワーク３を介して管理サーバ４との間で通信することができる。ネットワーク３は、イーサネット（登録商標）に代表されるローカルエリアネットワークであってもよいし、インターネットであってもよい。
【００２７】
図２は、管理サーバ４の機能的な構成を説明するためのブロック図である。管理サーバ４は、動的データベース２１と、静的データベース２２と、通信処理部２３と、登録処理部２４と、データベース検索部２５と、ウェブサーバ２６と、メールサーバ２７とを含む。すなわち、処理装置４１が管理サーバプログラム４５を実行することによって、管理サーバ４は、機能処理部として、動的データベース２１と、静的データベース２２と、通信処理部２３と、登録処理部２４と、データベース検索部２５と、ウェブサーバ２６と、メールサーバ２７とを有することになる。
【００２８】
動的データベース２１は、図３に示すように、信号灯６の点灯情報のログと、作業者端末５の座標位置とを保持する。したがって、その保持内容は、刻々と、すなわち動的に変動する。作業者端末５の座標位置とは、作業者端末５の位置情報（端末位置情報）である。
信号灯６の点灯情報のログとは、無線通信ユニット７からネットワーク３を介して管理サーバ４が受信する信号データの記録である。信号データは、図３に示すように、信号灯６の識別情報（信号灯ＩＤ。具体的には無線通信ユニットのMACアドレス）、信号灯６の各色の発光ユニット８の動作状況（具体的には消灯、点灯、点滅）、無線通信ユニット７が発信する電波の強度、送信時刻、信号灯６の座標情報を含む。信号灯６の座標情報は、各ログの信号データを発信した無線通信ユニット７が備えられた信号灯６の位置情報であり、この実施形態では、無線通信ユニット７の位置情報と同義であって、結局、当該信号灯６が備えられた生産装置１の位置情報（装置位置情報）と同義でもある。
【００２９】
この実施形態では、作業者端末５の座標位置は、作業者端末５において演算され、ネットワーク３を介して管理サーバ４へと送信される。管理サーバ４は、その座標位置を表す端末位置情報を受信して、動的データベース２１に格納するように動作する。
静的データベース２２は、システム管理者や作業者が予め設定する設定情報を保持している。具体的には、静的データベース２２は、図３に示すように、信号灯割当テーブル、作業者割当テーブル、関連テーブル、作業者ＩＤの表示テーブル、点灯情報テーブル、工場マップ情報、信号灯の座標情報を含む。工場マップ情報とは、工場内での生産装置１の配置を図示した地図データである。信号灯６の座標情報とは、複数の信号灯６の位置情報であって、結局、複数の生産装置１の位置情報である。
【００３０】
信号灯割当テーブルは、図４に示すように、各信号灯６と生産装置１との対応関係を記述したテーブルである。具体的には、各信号灯ＩＤと、対応する生産装置の装置名称とが対応付けられている。作業者割当テーブルは、図４に示すように、作業者識別情報（作業者ＩＤ）と、作業者の名前とを対応付けて記述したテーブルである。関連テーブルとは、図４に示すように、各生産装置と作業者とを関連付ける関連付け情報を記述したテーブルである。すなわち、各生産装置の担当作業者を予め定めておく場合に、関連付け情報が関連テーブルに記述される。
【００３１】
作業者ＩＤの表示テーブルは、図４に示すように、各作業者が保持する作業者端末５に対してウェブサーバ２６から提供することを許可する情報種別を記述したテーブルである。すなわち、作業者端末５からウェブサーバ２６にアクセスして生産装置１の情報を表示させる場合に、作業者ＩＤの表示テーブルにおいて表示許可が設定された情報のみが、作業者端末５に表示される。
【００３２】
点灯情報テーブルは、図４に示すように、信号灯６の点灯情報と、対応する生産装置１の稼働状態との対応関係を記述したテーブルである。この実施形態では、点灯情報に対して、生産装置１の状態（ステータス）、処置方法、プッシュ送信の要否が記述されている。
点灯情報とは、たとえば、信号灯６の点灯色（Ｒ：赤、Ｙ：黄色、Ｇ：緑、ＲＹ：赤黄同時点灯など）を表す情報である。生産装置１の状態とは、信号データが表す故障、品種切替、品質確認、計画停止、試作中などの稼働状態である。処置方法とは、部品供給などである。プッシュ送信の要否とは、担当作業者の作業者端末５に対して通知メールをプッシュ送信するか否かの設定である。
【００３３】
たとえば、図４の例では、信号灯６の点灯色が赤色（Ｒ）であるとき、生産装置１に故障が生じており、この場合には、担当作業者の作業者端末５に対して通知メッセージをプッシュ送信すべきことが記述されている。プッシュ送信とは、作業者端末５からウェブサーバ２６へのアクセスを待つことなく、ウェブサーバ２６から作業者端末５にメッセージを送信することをいう。
【００３４】
通信処理部２３は、ネットワーク３を介して信号灯６および作業者端末５との間で通信を行う。
登録処理部２４は、信号灯６から受信した信号データ、および作業者端末５から受信した作業者端末座標位置を動的データベース２１に登録する。また、登録処理部２４は、システム管理者または作業者からの要求に応じて、静的データベース２２に設定情報を登録する。
【００３５】
データベース検索部２５は、動的データベース２１に格納されたログ情報に基づいて、静的データベース２２を検索する。具体的には、信号灯割当テーブルを検索して、ログ情報に対応する生産装置名称を抽出する。また、その抽出された生産装置名称に基づいて関連テーブルおよび作業者割当テーブルを検索し、対応する作業者名および作業者ＩＤを抽出する。さらに、その抽出された作業者ＩＤに基づいて作業者ＩＤの表示テーブルを参照し、表示許可情報種別を抽出する。その表示許可情報種別に基づき、該当する種別の情報が、作業者端末５に表示すべき表示情報として、点灯情報テーブルから抽出される。データベース検索部２５は、抽出された生産装置名称、作業者名、および表示情報を、ウェブサーバ２６またはメールサーバ２７に与える。
【００３６】
ウェブサーバ２６は、作業者端末５からネットワーク３および通信処理部２３を介して所定のリクエストが送られてくると、それに応答して、ウェブページ画面を表すページデータを、通信処理部２３およびネットワーク３を介して作業者端末５へと送信する。ページデータは、たとえば、生産装置名称、担当作業者名、および前述の表示情報（生産装置の稼働状態情報を含む）等の情報を含む。すなわち、ウェブサーバ２６は、動的データベース２１または静的データベース２２に登録された情報を提供する登録情報提供手段としての働きを有している。
【００３７】
メールサーバ２７は、通信処理部２３を介して、作業者端末５へとメッセージ（メール）をプッシュ送信する通知手段としての機能を有している。具体的には、データベース検索部２５が点灯情報テーブルを検索したときに、信号灯６の点灯状態に対応してプッシュ送信を要する旨の設定がされている場合に、メールサーバ２７は、担当作業者の作業者端末５にメッセージをプッシュ送信する。プッシュ送信される内容は、メッセージの他にも、前述の表示情報を含んでいてもよい。すなわち、メールサーバ２７も、動的データベース２１または静的データベース２２に登録された情報を提供する登録情報提供手段としての働きを有している。
【００３８】
図５は、作業者端末５の機能的な構成を説明するためのブロック図である。作業者端末５は、処理装置５１が端末プログラム５６を実行することによって実現される複数の機能処理部を有している。この複数の機能処理部は、通信処理部３１、電波強度監視部３２、位置演算部３３、端末位置定期送信部３４、メール受信部３５、サーバ参照機能部３６、テーブル作成機能部３７、表示制御部３８等を含む。
【００３９】
通信処理部３１は、管理サーバ４に備えられたウェブサーバ２６およびメールサーバ２７との通信を制御する。電波強度監視部３２は、周囲の信号灯６に備えられた無線通信ユニット７からの電波強度をモニタする。位置演算部３３は、電波強度監視部３２による電波強度のモニタ結果に基づいて、作業者端末５の位置座標を演算する端末位置演算手段である。端末位置定期送信部３４は、位置演算部３３によって演算された位置座標を、通信処理部３１を介して、定期的に管理サーバ４に送信する。この位置座標は、動的データベース２１に格納される。
【００４０】
メール受信部３５は、管理サーバ４のメールサーバ２７から送られてくるメールを、通信処理部３１を介して受信する通知受信手段である。メールには管理サーバ４に登録された情報が含まれている場合もあるので、メール受信部３５は、管理サーバ４に登録された情報を受信する登録情報受信手段でもある。サーバ参照機能部３６は、表示部５３への表示を制御することにより、ウェブサーバ２６から提供されて通信処理部３１で受信されるウェブページを表示するウェブブラウザとしての機能を有している。サーバ参照機能部３６は、管理サーバ４に登録された情報を受信する登録情報受信手段である。テーブル作成機能部３７は、ウェブサーバ２６によって提供されるウェブページ上でテーブル（とくに静的データベース２２に格納されるテーブル）を作成するための機能を提供する。表示制御部３８は、表示部５３を制御する。
【００４１】
図６は、生産装置１からの信号データを受信したときの管理サーバ４の動作を説明するためのフローチャートである。各生産装置１の信号灯６に付設された無線通信ユニット７は、所定の時間間隔（たとえば１秒間隔）で信号データを送信するほか、信号灯６の点灯状態（とくに点灯色）の変更時にも信号データを送信する。信号データは、信号灯ＩＤ（具体的には無線通信ユニットのMACアドレス）、各色の発光ユニット８の動作状況（具体的には消灯、点灯、点滅）、無線通信ユニット７が発信する電波の強度、送信時刻、信号灯６の座標情報を含む。電波強度の値には、たとえばＬＱＩ値（電波通信品質）、ＲＳＳＩ（受信信号強度）、ＳＮＲ（信号対雑音比）が用いられてもよい。
【００４２】
無線通信ユニット７が送信した信号データは、受信機１１によって受信される。その信号データが、ネットワーク３を介して管理サーバ４に受信される（ステップＳ１）。
管理サーバ４の登録処理部２４は、通信処理部２３で受信した信号データを動的データベース２１に登録する（ステップＳ２）。すなわち、管理サーバ４は、受信した信号データを動的データベース２１に格納することによって、信号灯６の点灯情報のログを動的データベース２１に記録していく。このように、登録処理部２４および動的データベース２１は、生産装置１の稼働状態情報を登録する登録手段としての働きを有している。
【００４３】
データベース検索部２５は、動的データベース２１を監視し、いずれかの生産装置１の信号灯６の点灯状態に変化が生じたかどうかを判断する（ステップＳ３）。点灯状態に変化がなければ、ステップＳ１からの動作が繰り返される。一方、点灯状態に変化があると、データベース検索部２５は、点灯情報テーブルを参照し（ステップＳ４）、変化後の点灯状態に対してプッシュ送信要の設定がされているか否かを判断する（ステップＳ５）。プッシュ送信要の設定がされていれば、データベース検索部２５は、信号灯割当テーブル、作業者割当テーブルおよび関連テーブルを参照することにより、受信した信号データ中の信号灯ＩＤに対応する作業者ＩＤを抽出する（ステップＳ６）。このとき、その信号灯ＩＤに対応する生産装置名称と、その作業者ＩＤに対応する担当作業者名とが同時に抽出される。さらに、データベース検索部２５は、その抽出した作業者ＩＤの表示テーブルを参照して、表示許可設定された情報（端末表示内容）を読み込む（ステップＳ７）。
【００４４】
次に、データベース検索部２５は、表示許可された情報（端末表示内容）に基づいて、担当作業者の作業者端末５にプッシュ送信すべき内容をメールサーバ２７に引き渡す。これを受けて、メールサーバ２７は、担当作業者の作業者端末５を宛先としたメールを、通信処理部２３を介してプッシュ送信する（ステップＳ８）。このメールに含まれるメッセージは、たとえば、信号データ受信時刻、該当する生産装置名称（生産装置１の識別情報）、および端末表示内容の一部（たとえば異常内容および処置方法）を含む。このように、データベース検索部２５およびメールサーバ２７は、動的データベース２１に予め定める稼働状態情報（プッシュ送信要が設定された稼働状態情報）が登録されたときに、作業者端末５に対して、メールのプッシュ送信により通知する通知手段としての働きを有している。
【００４５】
そのメールが作業者端末５で受信されると、作業者端末５を保持している作業者は、メールに含まれるメッセージ内容に基づいて、必要な措置を講じる。具体的には、生産装置１に異常が生じていれば、その生産装置１まで移動して、必要な処置を行う。プッシュ送信されるメールのメッセージ中に異常内容および処置方法の情報が含まれていれば、作業者は、必要な部品や道具を予め調達したうえで、当該生産装置１へと向かうことができる。したがって、作業者は、当該生産装置１に到着次第、復旧作業を開始できる。それによって、異常発生から復旧までの時間を短縮できるので、生産効率を高めることができる。この場合、データベース検索部２５およびメールサーバ２７は、動的データベース２１に登録された稼働情報を作業者端末５に提供する登録情報提供手段として機能する。
【００４６】
図７は、管理サーバ４が作業者端末５から端末位置情報を受信したときの動作を説明するためのフローチャートである。作業者端末５は、管理サーバ４に対して、定期的に端末位置情報（端末座標位置）を提供している。作業者端末５から端末位置情報が送信されると、その端末位置情報は、ネットワーク３を介して管理サーバ４によって受信される（ステップＳ１１）。その端末位置情報は、管理サーバ４の通信処理部２３において受信され、登録処理部２４によって、作業者端末座標位置として、動的データベースに登録される（ステップＳ１２）。
【００４７】
図８は、作業者端末５から情報参照要求を受けたときの管理サーバ４の動作を説明するためのフローチャートである。作業者は、作業者端末５を操作して、管理サーバ４のウェブサーバ２６に対して、情報参照要求を送信することができる。すなわち、作業者端末５から送信された情報参照要求が、ネットワーク３および通信処理部２３を介して、ウェブサーバ２６によって受信される（ステップＳ２１）。より詳細には、作業者は、作業者端末５からウェブサーバ２６にアクセスしてログイン画面を表示させ、そのログイン画面上で作業者ＩＤを入力して管理システムにログインする。ウェブサーバ２６は、入力された作業者ＩＤを読み込み（ステップＳ２２）、参照権限の有無を確認する（ステップＳ２３）。参照権限がなければ、エラーメッセージを作業者端末５に送信して（ステップＳ２４）、処理を終える。情報参照のための正当権限が確認できれば（ステップＳ２３：ＹＥＳ）、データベース検索部２５が、当該作業者ＩＤの表示テーブルを参照して、表示許可の設定のある端末表示内容を動的データベース２１および静的データベース２２から抽出する（ステップＳ２５）。ウェブサーバ２６は、その抽出された端末表示内容を含むウェブページデータを作成し、通信処理部２３から作業者端末５へと送信する（ステップＳ２６）。これにより、作業者端末５の表示部５３に、そのウェブページデータに対応したウェブページが表示される。
【００４８】
このようにして、プッシュ送信されるメールに記述される内容よりも詳細な情報が、作業者端末５のブラウザ機能を介して提供される。
作業者端末５は、ウェブサーバ２６に対して、故障等が生じた生産装置１の位置情報を要求したり、工場マップ情報を要求したりすることができる。このような要求に応じて、ウェブサーバは、要求された情報、すなわち、生産装置１の位置情報や工場マップ情報などを作業者端末に送信する（ステップＳ２６参照）。
【００４９】
たとえば、作業者は、プッシュ送信されたメール中に記載された生産装置名称からその生産装置１の位置を把握できないときには、作業者端末５を操作してウェブサーバ２６にアクセスし、生産装置１の位置情報を取得する。ウェブサーバ２６は、静的データベース２２から工場マップ情報を読み出し、さらに、異常が生じた生産装置１の装置位置情報（信号灯の座標情報）を静的データベース２２から読み出す。そして、ウェブサーバ２６は、それらの情報を作業者端末５に提供する。作業者端末５においては、その提供された情報に基づいて、異常が生じた生産装置１の位置と作業者端末５の位置（すなわち作業者の位置）とが地図上に図形表示される。このように、ウェブサーバ２６は、作業者端末５に生産装置１の装置位置情報を提供する装置位置情報提供手段としての機能を有している。また、ウェブサーバ２６は、生産装置１の位置と作業者端末５の位置とを表示するための地図データを提供する地図データ提供手段としての働きを有している。
【００５０】
この実施形態では、作業者端末５の座標位置は、作業者端末５において演算されるので、地図上への作業者端末位置のオーバレイ表示のための処理は、作業者端末５において行われればよい。ただし、前述のように、作業者端末５の端末位置情報は定期的に管理サーバ４に提供されて動的データベース２１に登録される。したがって、ウェブサーバ２６は、地図上に生産装置１および作業者端末５の位置を図形表示したウェブページを作業者端末５に提供してもよい。この場合、作業者端末５は、そのウェブページを表示することによって、工場内地図上に対象生産装置１および作業者端末５を図形表示した画像を提供できる。
【００５１】
図９は、作業者端末５における端末座標位置の算出および端末位置情報の送信に関する動作を説明するためのフローチャートである。作業者端末５は、周辺の信号灯６に付設された無線通信ユニット７が発信する信号データの取得を開始する（ステップＣ１）。作業者端末５は、予め定める閾値以上の個数の信号灯６から信号データが取得されるまで、信号データの取得動作を繰り返す（ステップＣ２，Ｃ３）。あるいは、作業者端末５は、予め定める閾値以上の電波強度の信号データが取得されるまで、信号データの取得動作を継続してもよい（ステップＣ２，Ｃ３）。電波強度は、電波強度監視部３２によってモニタされる。作業者端末５は、無線通信ユニット７から定期的に発信される信号データを取得してもよいし、無線通信ユニット７に対して信号データの送信を指令してもよい。
【００５２】
必要な信号データが取得されると、作業者端末５の位置演算部３３は、取得された信号データに基づいて、当該作業者端末５の座標位置を演算する（ステップＣ４。端末位置演算手段）。信号データには、前述のとおり、信号灯６の位置座標が含まれている。そこで、閾値以上の個数の複数の信号灯６から信号データを取得した場合には、それらの信号灯６のそれぞれの位置座標と、それらの信号灯からの信号データを搬送する電波の強度とに基づいて、作業者端末５の座標位置が演算されてもよい。また一つの信号灯６から所定の閾値以上の電波強度の信号データが受信され、その信号灯６の充分近くに作業者端末５が位置していると判断できる場合には、その信号データ中に含まれる位置座標（信号灯６の位置座標）を作業者端末５の座標位置としてもよい。
【００５３】
演算された端末座標位置を表す端末位置情報は、作業者端末５内のメモリ５２に格納されるとともに、通信処理部３１から、管理サーバ４に向けて送信される（ステップＣ５）。管理サーバ４は、ネットワーク３を介して端末位置情報を受信し、動的データベース２１に格納する（図７参照）。
図１０は、管理サーバ４からの情報受信に関する作業者端末５の動作を説明するためのフローチャートである。作業者端末５のメール受信部３５は、管理サーバ４からのプッシュ送信を受信したかどうかを監視している（ステップＣ１１）。プッシュ送信を受信しないときには、表示制御部３８は、入力部５４に対する操作者の操作に応じた内容を表示部５３に表示する処理を実行する（ステップＣ１２，Ｃ１３）。
【００５４】
メール受信部３５が管理サーバ４からのプッシュ送信を受信すると（ステップＣ１１：ＹＥＳ。通知受信手段、登録情報受信手段）、受信したメールのメッセージ内容が表示制御部３８に引き渡される。表示制御部３８は、受信したメッセージを表示部５３に表示させる（ステップＣ１４）。
このときの表示部５３における表示例を図１１に示す。この例では、生産装置１の一つである工作機Ａに「故障」が生じていることの表示７１、その故障を通知する信号データの受信時刻の表示７２、および対処方法の表示７３が、表示部５３の画面上に表示されている。
【００５５】
当該作業者端末５を携帯する作業者ａは、工作機Ａの故障に対する対処を自らが行おうとするときは、入力部５４を操作して、対処中チェック操作部７４を操作する（ステップＣ１５）。これにより、サーバ参照機能部３６は、通信処理部３１を介して、管理サーバ４に対して、工作機Ａに対する対処中フラグを送信する（ステップＣ１６）。対処中フラグは、いずれかの作業者が対処を引き受けたことを表すフラグであり、管理サーバ４の動的データベース２１に記録される。対処中フラグが設定された生産装置１に関する情報を閲覧すると、「対処中チェック」操作部にチェックマークが付される。図１１の表示例では、生産装置１の一つである工作機Ｂについては、対処中であることを表すチェックマーク８０が付されており、コメント欄８１には、作業者ｂが対処中であることが記述されている。したがって、工作機Ｂが当該作業者ａの担当割当であっても、対処の必要がないことが分かる。また、工作機Ａに対応する対処中チェック操作部７４を作業者ａがチェックすることによって、他の作業者は、工作機Ａへの対処の必要がないことが分かる。
【００５６】
作業者ａは、対処対象の工作機Ａへの到達経路を知っているときには、対処に必要な部品や道具を調達した後、工作機Ａに向かう。工作機Ａへの到達経路を確認したい場合には、作業者ａは、作業者端末５の画面に表示されたマップ表示操作部７５を操作する（ステップＣ１７）。この操作に応答して、表示制御部３８が、メモリ５２から当該作業者端末５の端末位置情報を読み込み（ステップＣ１８）、さらに、サーバ参照機能部３６が、対処が必要な生産装置１である工作機Ａの装置位置情報を管理サーバ４から取得する（ステップＣ１９。装置位置情報受信手段）。さらに、サーバ参照機能部３６は、管理サーバ４から工場マップ情報を取得する（ステップＣ２０。登録情報受信手段）。そして、表示制御部３８は、サーバ参照機能部３６が取得した工場マップ情報に基づいて、表示部５３に工場内地図を描画し、その地図上に作業者端末５の位置および対処対象の生産装置１（工作機Ａ）の位置を図形表示する（ステップＣ２１）。
【００５７】
図１１に示す画面において、工場マップタブ８５を開くと、工場全体の地図が表示される。また、PUSH設定タブ８６を開くと、テーブル作成機能部３７の働きにより、ウェブサーバ２６を介して、点灯情報テーブルを編集することができ、プッシュ通知の設定および設定解除を切り換えることができる。すなわち、管理サーバ４は、ウェブサーバ２６を介して、作業者端末５からのテーブル操作を受け付けるように構成されている。
【００５８】
図１２は、工場内地図の表示例を示す。工場内地図には、複数の生産装置１の配置を表す生産装置表示１ａが図形表示されている。そして、対処対象の生産装置１に対応する生産装置表示１ａには、対処対象マーク９０が付与されている。また、工場内における作業者端末５の位置が作業者位置マーク９１によって表示されている。このように、作業者端末５と対処対象生産装置１との相対位置関係が図形表示されるので、作業者は、生産装置１までの経路を即座に把握することができる。地図上には、さらに、作業者端末５の現在位置から対処対象生産装置１までの到達経路がさらに表示されてもよい。
【００５９】
以上のように、この実施形態によれば、複数の生産装置１の稼働状態情報が、信号灯６に付設された無線通信ユニット７からネットワーク３を介して管理サーバ４に収集され、動的データベース２１に登録される。管理サーバ４は、動的データベース２１を監視しており、いずれかの生産装置１が対処を要する稼働状態となると、当該生産装置１の担当作業者の作業者端末５に対して、メールをプッシュ送信する。このプッシュ送信されるメールにより、信号データ受信時刻、対処対象の生産装置名称、装置状態、対処方法などが担当作業者に通知される。こうして、担当作業者に対して、対処が必要な生産装置１の存在とともに、対処事項を把握するために必要な情報が速やかに通知される。したがって、担当作業者は、対象生産装置１まで行かなくても当該生産装置１の状態および対処内容を予め把握できるので、必要な部品、道具等を調達したうえで、生産装置１に向かうことができる。それによって、対処事項発生から対処完了までの時間を短縮できるから、生産装置１の稼働率を高めることができ、生産性を高めることができる。
【００６０】
また、作業者は、作業者端末５を操作することによって、対処対象の生産装置１および自身の位置関係を地図上に表示させることができる。それによって、生産装置１までの到達経路をただちに把握することができる。これにより、勤務歴の浅い作業者であっても、また生産ラインの組換えが頻繁に行われる工場であっても、作業者は、対処対象の生産装置１に迅速に到達することができる。これによっても、対処事項発生から対処完了までの時間を短縮して、生産性を高めることができる。また、対象生産装置１までの距離に応じて対処するか否かを作業者が決定することとすれば、対象生産装置１の近くにいる作業者による迅速な対応が可能となるので、より一層生産性を高めることができる。
【００６１】
図１３は、この発明の第２の実施形態に係る管理システムを説明するための図であり、作業者端末５から位置情報算出のための情報を送信する動作を説明するためのフローチャートである。この実施形態の説明では、前述の図１〜図６、図８、図１０〜図１２を必要に応じて参照する。
この実施形態では、作業者端末５は、信号データを受信して、その信号データに含まれる信号灯ＩＤと、その信号データの電波強度とを管理サーバ４に送信する。これらの情報に基づいて、管理サーバ４において、作業者端末５の位置を表す端末位置情報が演算される。
【００６２】
作業者端末５は、周辺の信号灯６に付設された無線通信ユニット７が発信する信号データの取得を開始する（ステップＣ３１）。作業者端末５は、予め定める閾値以上の個数の信号灯６から信号データが取得されるまで、信号データの取得動作を繰り返す（ステップＣ３２，Ｃ３３）。あるいは、作業者端末５は、予め定める閾値以上の電波強度の信号データが取得されるまで、信号データの取得動作を継続してもよい（ステップＣ２２，Ｃ２３）。
【００６３】
必要な信号データが取得されると、作業者端末５は、信号データに含まれる信号灯ＩＤを抽出し、さらに、その信号データを受信したときの電波強度を取得する（ステップＣ３４）。作業者端末５は、それらの信号灯ＩＤおよび電波強度を、作業者端末５内のメモリ５２に格納するとともに、通信処理部３１から、管理サーバ４に向けて送信する（ステップＣ３５）。
【００６４】
図１４は、作業者端末５の位置特定のための情報を受信したときの管理サーバ４の動作を説明するためのフローチャートである。管理サーバ４は、作業者端末５から、ネットワーク３を介して、信号灯ＩＤおよび電波強度を表す情報を受信し（ステップＳ３１）、その情報を動的データベース２１に格納する（ステップＳ３２）。
管理サーバ４は、さらに、動的データベース２１から、信号灯ＩＤおよび電波強度の情報を読み込み（ステップＳ３３）、静的データベース２２から各信号灯ＩＤに該当する信号灯６の座標位置を読み込む（ステップＳ３４）。そして、これらに基づいて、管理サーバ４は、作業者端末５の位置を演算する（ステップＳ３５。端末位置演算手段）。具体的には、閾値以上の個数の複数の信号灯６からの信号データを取得した場合には、それらの信号灯６のそれぞれの位置座標と、それらの信号灯６からの信号データの電波強度とに基づいて、作業者端末５の位置が演算されてもよい。また一つの信号灯６から所定の閾値以上の電波強度の信号データが受信され、その信号灯６の充分近くに作業者端末５が位置していると判断できる場合には、その信号データ中に含まれる位置座標を作業者端末５の位置としてもよい。
【００６５】
演算された作業者端末５の位置座標は、動的データベース２１に登録される（ステップＳ３６）。
管理サーバ４および作業者端末５のその他の動作は、前述の第１の実施形態の場合と同様である。ただし、作業者端末５において地図表示する場合等に、作業者端末５の位置情報は、管理サーバ４から提供される。すなわち、管理サーバ４は、工場マップ表示が要求されたときに、地図情報、対処対象生産装置の位置情報、および当該作業者端末５の位置情報を作業者端末５に提供する。また、管理サーバ４は、工場内地図上に対処対象生産装置１および作業者端末５の位置関係を図形表示したウェブページを作成し、そのウェブページを作業者端末５に提供してもよい。
【００６６】
このような構成によっても、第１の実施形態と同様な効果を奏することができる。
以上、この発明の実施形態について説明してきたが、この発明は、さらに他の形態で実施することもできる。
たとえば、前述の実施形態では、信号灯６の制御信号を表す信号データを無線通信ユニット７によって送信する構成の情報出力ユニット２が備えられている。しかし、情報出力ユニットの構成は、これに限られない。たとえば、信号灯６の点灯状態を撮像する撮像装置を設け、その撮像装置が出力する画像データを管理サーバ４に送信するようにしてもよい。この場合、管理サーバ４は、画像データを解析して、信号灯６の点灯状態を表すデータを動的データベース２１に格納すればよい。また、情報出力ユニットは、信号灯６を有していなくてもよい。すなわち、情報出力ユニットは、無線通信ユニット７のみを有し、無線通信ユニット７が、生産装置１から引き渡される稼働状態データを無線送信するように構成されていてもよい。さらには、情報出力ユニットは、有線通信によって、生産装置１から引き渡される稼働状態データをネットワーク３に送出する構成を有していてもよい。
【００６７】
また、前述の実施形態では、対処が必要な生産装置１の位置情報は、ウェブサーバ２６によって作業者端末５に提供されている。しかし、対処が必要な生産装置１の位置情報は、メールサーバ２７から作業者端末５にプッシュ送信するようにしてもよい。
また、前述の実施形態では、メールサーバ２７は、作業者端末５に対してメールをプッシュ送信している。しかし、メールサーバ２７は、作業者端末５からのアクセスを受けて、作業者端末５にメールを提供するように構成されてもよい。すなわち、作業者端末５が、メールサーバ２７に定期的にアクセスし、メールサーバ２７に格納されたメールをフェッチして受信するように動作してもよい。
【００６８】
さらに、前述の実施形態では、信号灯６の座標情報は予め静的データベース２２に登録されている。しかし、無線通信ユニット７が発信する信号データ中に信号灯６の座標情報が含まれているので、これを利用して信号灯６の座標情報を自動登録する構成としてもよい。より具体的には、データベース検索部２５が動的データベース２１に登録された信号灯６の座標情報を検索して登録処理部２４に引き渡し、登録処理部２４がその座標情報を静的データベース２２に自動登録すればよい。これにより、生産装置１の配置変更や新規導入の際に、信号灯６の座標情報を登録する手間を省くことができる。
【００６９】
また、前述の実施形態では、工場マップ情報が管理サーバ４に保持されている。しかし、工場マップ情報は、作業者端末５に保持されていてもよい。
その他、特許請求の範囲に記載された事項の範囲で種々の設計変更を施すことが可能である。
【符号の説明】
【００７０】
１     生産装置
２     情報出力ユニット
３     ネットワーク
４     管理サーバ
５     作業者端末
６     信号灯
７     無線通信ユニット
８     発光ユニット
２１   動的データベース
２２   静的データベース
２３   通信処理部
２４   登録処理部
２５   データベース検索部
２６   ウェブサーバ
２７   メールサーバ
３１   通信処理部
３２   電波強度監視部
３３   位置演算部
３４   端末位置定期送信部
３５   メール受信部
３６   サーバ参照機能部
３７   テーブル作成機能部
３８   表示制御部
４５   管理サーバプログラム
５３   表示部
５６   端末プログラム
７４   対処中チェック操作部
７５   マップ表示操作部
９０   対処対象マーク
９１   作業者位置マーク
【図１】
2014164598.tif 000003
【図２】
2014164598.tif 000004
【図３】
2014164598.tif 000005
【図４】
2014164598.tif 000006
【図５】
2014164598.tif 000007
【図６】
2014164598.tif 000008
【図７】
2014164598.tif 000009
【図８】
2014164598.tif 000010
【図９】
2014164598.tif 000011
【図１０】
2014164598.tif 000012
【図１１】
2014164598.tif 000013
【図１２】
2014164598.tif 000014
【図１３】
2014164598.tif 000015
【図１４】
2014164598.tif 000016